(57)【要約】【課題】システムエラーが生じた際の原因究明を容易にし、医用画像撮影管理システムの信頼性、安全性を向上させる。更に、撮影オーダー情報と撮影関連情報との対応付けを、早期に確定する。【解決手段】本発明に係る医用画像撮影管理システム１００によれば、制御装置１０は、ＲＩＳクライアント用汎用ブラウザによりＲＩＳサーバ５０のＨＴＴＰサーバ機能にアクセスし、ＲＩＳサーバ５０の撮影オーダーＤＢから撮影オーダー情報を選択して取得する。また、制御装置１０とＲＩＳサーバ５０との撮影オーダー情報、検査終了後の撮影実施情報の送受信は、ＨＤＤ１６ａを経由して行われ、送受信データが記憶される。【選択図】  図１
2004310184.tif 000002
【特許請求の範囲】
【請求項１】
患者の医用画像を撮影する撮影装置と、
撮影オーダー情報の生成及び管理を行う情報管理装置と、
前記撮影された医用画像を読み取る読取装置と、
前記撮影オーダー情報と前記読み取られた医用画像とを関連付ける少なくとも一つの制御装置とを備え、
前記情報管理装置、前記読取装置、前記制御装置が通信ネットワークを介して接続された医用画像撮影管理システムであって、
前記制御装置は、記憶手段と、前記撮影オーダー情報に関連する撮影関連情報を入力する入力手段とを有し、前記情報管理装置から受信された撮影オーダー情報を前記記憶手段に記憶するとともに、前記撮影オーダー情報に前記入力された撮影関連情報を対応付けて前記記憶手段に記憶し、前記記憶された撮影オーダー情報及び撮影関連情報を前記情報管理装置に送信することを特徴とする医用画像撮影管理システム。
【請求項２】
前記情報管理装置は、ＨＴＴＰサーバ手段を有し、
前記制御装置は、汎用ブラウザ手段を有し、前記ＨＴＴＰサーバ手段及び汎用ブラウザ手段を通じて前記情報管理装置から取得する前記撮影オーダー情報を選定し、
前記情報管理装置は、前記選定された撮影オーダー情報を前記制御装置に送信することを特徴とする請求項１に記載の医用画像撮影管理システム。
【請求項３】
前記撮影装置は、前記医用画像を記録するカセッテを用いる撮影装置であり、
前記読取装置は、前記カセッテの識別情報を前記医用画像と併せて読み取って前記制御装置に送信し、
前記制御装置は、前記カセッテの識別情報に基づいて、前記撮影オーダー情報と前記医用画像及び／又は前記撮影関連情報とを対応付けることを特徴とする請求項１又は２に記載の医用画像撮影管理システム。
【請求項４】
前記入力手段は、前記撮影オーダー情報生成の為の入力及び前記撮影関連情報の入力が可能であり、前記制御装置は、前記入力された撮影オーダー情報と前記撮影オーダー情報に関連する撮影関連情報とを関連づけることが可能であることを特徴とする請求項１〜３の何れか一項に記載の医用画像撮影管理システム。
【請求項５】
前記制御装置は、前記情報管理装置との通信が可能か否かを判断し、通信が可能である場合に、前記情報管理装置に前記記憶手段に記憶された撮影オーダー情報と撮影関連情報を送信するとともに、前記送信済みの情報を前記記憶手段から消去することを特徴とする請求項１〜４の何れか一項に記載の医用画像撮影管理システム。
【請求項６】
前記制御装置と前記情報管理装置は、前記撮影オーダー情報及び当該撮影オーダー情報に対応付けられた撮影関連情報をＦＴＰに基づいて送受信することを特徴とする請求項１〜５の何れか一項に記載の医用画像撮影管理システム。
【請求項７】
前記撮影オーダー情報及び当該撮影オーダー情報に対応付けられた撮影関連情報の送受信は、１撮影オーダー単位に行うことを特徴とする請求項６に記載の医用画像撮影管理システム。
【請求項８】
前記送受信される撮影オーダー情報及び当該撮影オーダー情報に対応付けられた撮影関連情報は、ＤＩＣＯＭ  ＴＡＧ方式で表記されていることを特徴とする請求項７に記載の医用画像撮影管理システム。
【請求項９】
患者の医用画像を撮影する撮影装置と、
撮影オーダー情報の生成及び管理を行う情報管理装置と、
前記撮影された医用画像を読み取る読取装置と、
前記撮影オーダー情報と前記読み取られた医用画像とを対応付ける少なくとも一つの制御装置とを備え、
前記情報管理装置、前記読取装置、前記制御装置が通信ネットワークを介して接続された医用画像撮影管理システムにおける通信方法であって、
前記制御装置において、前記情報管理装置から受信された撮影オーダー情報を記憶手段に記憶する工程と、
前記撮影オーダー情報に関連する撮影関連情報を当該撮影オーダー情報に対応付けて前記記憶手段に記憶し、前記記憶された撮影オーダー情報及び撮影関連情報を前記情報管理装置に送信する工程と、
を含むことを特徴とする医用画像撮影管理システムにおける通信方法。
【発明の詳細な説明】
【０００１】
【発明の属する技術分野】
本発明は、Ｘ線等の放射線を用いて医用画像の撮影を行う医用画像撮影管理システム及び医用画像撮影管理システムにおける通信方法に関する。
【０００２】
【従来の技術】
従来、医療の分野においては、患者に対する病気診断のために、放射線画像をデジタル画像データとして取得するＣＲ（Ｃｏｍｐｕｔｅｄ  Ｒａｄｉｏｇｒａｐｈｙ）、ＣＴ（Ｃｏｍｐｕｔｅｄ  Ｔｏｍｏｇｒａｐｈｙ）、ＭＲＩ（Ｍａｇｎｅｔｉｃ  Ｒｅｓｏｎａｎｃｅ  Ｉｍａｇｉｎｇ）装置等の医用画像撮影装置が利用されている。これらの医用画像撮影装置はＨＩＳ（Ｈｏｓｐｉｔａｌ  Ｉｎｆｏｒｍａｔｉｏｎ  Ｓｙｓｔｅｍ；病院情報システム）／ＲＩＳ（Ｒａｄｉｏｌｏｇｙ  Ｉｎｆｏｒｍａｔｉｏｎ  Ｓｙｓｔｅｍ；放射線情報科情報システム）等の情報システムとネットワークを介して接続されて医用画像撮影のオーダー受付、検査データ等の管理が行われることにより、病院内の効率化が図られている。
【０００３】
例えばＣＲ装置は、Ｘ線撮影装置と、Ｘ線撮影により輝尽性蛍光体プレートに蓄積された被検体の放射線画像情報の読み取りを行う医用画像読取装置と、医用画像読取装置の制御、医用画像読取装置により読み取られた医用画像の表示、医用画像への画像処理、医用画像及び撮影に関連する情報（例えば、撮影日時、放射線情報、処理パラメータ、所見等）の保存等を行う制御装置により構成されている。制御装置は、ＲＩＳサーバから、ＲＩＳ端末により登録された患者ＩＤ、撮影部位、撮影方向、撮影枚数、Ｘ線条件、撮影場所、読取装置での読取条件等の撮影オーダー情報を、ネットワークを介して受信し、撮影オーダー情報に基づいて撮影を管理し、撮影された医用画像及び撮影関連情報を撮影実施情報としてＲＩＳサーバに送信する。そして、ＲＩＳサーバで撮影オーダー情報及び撮影関連情報の管理が行われる。
【０００４】
上述した医用画像撮影装置とＲＩＳサーバとがネットワーク接続されて構成される医用画像撮影管理システムにおいては、システムの低コスト化や効率化を向上させるための技術が開示されている。
【０００５】
例えば、特許文献１においては、医療システム特有のプロトコルを持たない診断用端末が画像サーバにＷｅｂ接続することで画像データや表示プログラムを入手して処理済み画像の表示を行うシステムが開示されている。
【０００６】
また、特許文献２には、上記制御装置に相当する、ＣＴ、ＭＲＩ等のモダリティのコンソール上にＲＩＳ端末機能を一体化する技術が開示されている。
【０００７】
【特許文献１】
特開平１１−２３９１６５号公報
【特許文献２】
特開２００２−２１９１２２号公報
【０００８】
【発明が解決しようとする課題】
ところで、医用画像撮影管理システムにおいては、ＲＩＳ系の装置とＣＲ、ＣＴ等の医用画像撮影系の装置が異なるメーカーで構成されている場合がある。このような場合に、システムエラーが起きた際には原因の切り分けが複雑化するので、原因究明に時間がかり、撮影のワークフローの遅延を招くことがある。
【０００９】
本発明の課題は、システムエラーが生じた際の原因究明を容易にし、医用画像撮影管理システムの信頼性、安全性を向上させることである。更に、撮影オーダー情報と撮影関連情報との対応付けを、早期に確定するシステムを提供することである。
【００１０】
【課題を解決するための手段】
上記課題を解決するため、請求項１に記載の発明は、
患者の医用画像を撮影する撮影装置と、
撮影オーダー情報の生成及び管理を行う情報管理装置と、
前記撮影された医用画像を読み取る読取装置と、
前記撮影オーダー情報と前記読み取られた医用画像とを関連付ける少なくとも一つの制御装置とを備え、
前記情報管理装置、前記読取装置、前記制御装置が通信ネットワークを介して接続された医用画像撮影管理システムであって、
前記制御装置は、記憶手段と、前記撮影オーダー情報に関連する撮影関連情報を入力する入力手段とを有し、前記情報管理装置から受信された撮影オーダー情報を前記記憶手段に記憶するとともに、前記撮影オーダー情報に前記入力された撮影関連情報を対応付けて前記記憶手段に記憶し、前記記憶された撮影オーダー情報及び撮影関連情報を前記情報管理装置に送信することを特徴としている。
【００１１】
請求項９に記載の発明は、
患者の医用画像を撮影する撮影装置と、
撮影オーダー情報の生成及び管理を行う情報管理装置と、
前記撮影された医用画像を読み取る読取装置と、
前記撮影オーダー情報と前記読み取られた医用画像とを対応付ける少なくとも一つの制御装置とを備え、
前記情報管理装置、前記読取装置、前記制御装置が通信ネットワークを介して接続された医用画像撮影管理システムにおける通信方法であって、
前記制御装置において、前記情報管理装置から受信された撮影オーダー情報を記憶手段に記憶する工程と、
前記撮影オーダー情報に関連する撮影関連情報を当該撮影オーダー情報に対応付けて前記記憶手段に記憶し、前記記憶された撮影オーダー情報及び撮影関連情報を前記情報管理装置に送信する工程と、
を含むことを特徴としている。
【００１２】
請求項１、９に記載の発明によれば、医用画像撮影管理システムにおいて、制御装置は、情報管理装置から受信された撮影オーダー情報を記憶手段に記憶するとともに、入力された撮影関連情報を撮影オーダー情報に対応付けて記憶手段に記憶してから情報管理装置に送信する。従って、制御装置の管理下にある情報を明確にすることができるので、万一、医用画像撮影管理システムにおいて撮影オーダー情報等の情報に以上が発見された際に、情報管理装置と制御装置との原因の切り分けが容易となり、医用画像撮影管理システムの信頼性、安全性を向上させることができる。
【００１３】
請求項２に記載の発明は、請求項１に記載の発明において、
前記情報管理装置は、ＨＴＴＰサーバ手段を有し、
前記制御装置は、汎用ブラウザ手段を有し、前記ＨＴＴＰサーバ手段及び汎用ブラウザ手段を通じて前記情報管理装置から取得する前記撮影オーダー情報を選定し、
前記情報管理装置は、前記選定された撮影オーダー情報を前記制御装置に送信することを特徴としている。
【００１４】
請求項２に記載の発明によれば、情報管理装置はＨＴＴＰサーバ手段を有し、制御装置は汎用ブラウザ手段を有し、制御装置はＨＴＴＰサーバ手段及び汎用ブラウザ手段を通じて情報管理装置から取得する撮影オーダー情報を選定して情報管理装置から取得する。従って、制御装置側は汎用のブラウザを搭載するだけで、内部構成を大きく変更することなく、容易に撮影オーダー情報を選定して情報管理装置から取得することができるようになる。
【００１５】
請求項３に記載の発明は、請求項１又は２に記載の発明において、
前記撮影装置は、前記医用画像を記録するカセッテを用いる撮影装置であり、
前記読取装置は、前記カセッテの識別情報を前記医用画像と併せて読み取って前記制御装置に送信し、
前記制御装置は、前記カセッテの識別情報に基づいて、前記撮影オーダー情報と前記医用画像及び／又は前記撮影関連情報とを対応付けることを特徴としている。
【００１６】
請求項３に記載の発明によれば、制御装置は、カセッテを用いた撮影において、撮影オーダー情報と医用画像及び／又は撮影関連情報と対応付けることができる。
【００１７】
請求項４に記載の発明は、請求項１〜３の何れか一項に記載の発明において、
前記入力手段は、前記撮影オーダー情報生成の為の入力及び前記撮影関連情報の入力が可能であり、前記制御装置は、前記入力された撮影オーダー情報と前記撮影オーダー情報に関連する撮影関連情報とを対応付けることが可能であることを特徴としている。
【００１８】
請求項４に記載の発明よれば、制御装置において、撮影オーダー情報生成の為の入力及び撮影関連情報の入力が可能であり、入力された撮影オーダー情報とその撮影オーダー情報に関連する撮影関連情報とを対応付けることができる。従って、制御装置において、撮影オーダー情報や撮影関連情報の入力から撮影オーダー情報とそれに関連する撮影関連情報の対応付けまでを行うことができる。
【００１９】
請求項５に記載の発明は、請求項１〜４の何れか一項に記載の発明において、
前記制御装置は、前記情報管理装置との通信が可能か否かを判断し、通信が可能である場合に、前記情報管理装置に前記記憶手段に記憶された撮影オーダー情報と撮影関連情報を送信するとともに、前記送信済みの情報を前記記憶手段から消去することを特徴としている。
【００２０】
請求項５に記載の発明によれば、制御装置は、情報管理装置との通信が可能か否かを判断し、通信が可能である場合に、情報管理装置に記憶手段に記憶された撮影オーダー情報と撮影関連情報を送信するとともに、送信済みの情報を記憶手段から消去する。従って、通信が可能な場合に情報を送信するので、撮影のワークフローに遅延を招くことなく通信を行うことができる。また、制御装置の管理下でなくなった情報を記憶手段から消去するので、記憶手段を効率的に使用することができる。
【００２１】
請求項６に記載の発明は、請求項１〜５の何れか一項に記載の発明において、
前記制御装置と前記情報管理装置は、前記撮影オーダー情報及び当該撮影オーダー情報に対応付けられた撮影関連情報をＦＴＰに基づいて送受信することを特徴としている。
【００２２】
請求項６に記載の発明によれば、撮影オーダー情報及び当該撮影オーダー情報に対応付けられた撮影関連情報をＦＴＰに基づいて送受信するので、汎用的な通信プロトコルを用いて容易にファイル単位で情報のやりとりを行うことができ、必要な情報を迅速に送受信することができる。
【００２３】
請求項７に記載の発明は、請求項６に記載の発明において、
前記撮影オーダー情報及び当該撮影オーダー情報に対応付けられた撮影関連情報の送受信は、１撮影オーダー単位に行うことを特徴としている。
【００２４】
請求項７に記載の発明によれば、１撮影オーダー単位に送受信を行うので、必要な情報を迅速に送受信することができる。
【００２５】
請求項８に記載の発明は、請求項７に記載の発明において、
前記送受信される撮影オーダー情報及び当該撮影オーダー情報に対応付けられた撮影関連情報は、ＤＩＣＯＭ  ＴＡＧ方式で表記されていることを特徴としている。
【００２６】
請求項８に記載の発明によれば、ＤＩＣＯＭ  ＴＡＧ方式で表記されたファイル毎に情報の送受信を行うことができる。
【００２７】
【発明の実施の形態】
以下、図を参照して本発明の実施の形態を詳細に説明する。ただし、発明の範囲は、図示例に限定されない。
【００２８】
まず、本実施の形態の構成を説明する。
図１は、本発明に係る医用画像撮影管理システム１００のシステム構成を示す概念図である。図１に示すように、医用画像撮影管理システム１００は、制御装置１０、医用画像読取装置２０、Ｘ線撮影装置３０、カセッテ４０、情報管理装置としてのＲＩＳサーバ５０等から構成されている。制御装置１０、医用画像読取装置２０及びＲＩＳサーバ５０は、ネットワークＮを介してデータ送受信が可能なように接続されている。また、ネットワークＮには、図示しないＨＩＳサーバ、ＲＩＳ専用端末、画像参照端末、画像出力装置等が接続される構成としてもよい。
【００２９】
制御装置１０は、ＲＩＳサーバ５０から撮影オーダー情報を受信し、放射線技師による入力指示に従って、撮影オーダー情報とカセッテ４０を識別するためのカセッテＩＤとの対応付けを行い、医用画像読取装置２０により読み取られた医用画像及びカセッテＩＤを受信して撮影オーダー情報と医用画像とを対応付け、カセッテＩＤ、画像ＩＤを含む撮影実施情報を撮影オーダー情報に対応付けてＲＩＳサーバ５０に送信する。なお、撮影実施情報は、撮影に関連する情報（撮影関連情報）であり、少なくとも撮影オーダー情報と医用画像を対応付ける情報、例えば撮影ＩＤ、カセッテＩＤ、画像ＩＤを含むものであり、医用画像そのものは含むこととしても含まないこととしてもよい。
【００３０】
医用画像読取装置２０は、カセッテ４０に記録された医用画像を読み取る医用画像読取装置である。医用画像読取装置２０は、カセッテ４０の輝尽性蛍光体シートに励起光を照射し、これによりシートから発光される輝尽光を光電変換し、得られた画像信号をＡ／Ｄ変換して、医用画像を取得する。また、医用画像読取装置２０は、カセッテ４０に付帯するカセッテＩＤを読み取り、医用画像及び医用画像に対応するカセッテＩＤを制御装置１０に送信する。
【００３１】
Ｘ線撮影装置３０は、被検体である患者にＸ線を照射して撮影を行い、装置本体に着脱可能なカセッテ４０に放射線画像情報を記録する。カセッテ４０は、放射線エネルギーの一部を蓄積する輝尽性蛍光体シートを内蔵しており、放射線源から照射され、照射線源とカセッテとの間に配置される被験体を通過した照射エネルギーの一部を上記輝尽性蛍光体シートに蓄積する。
【００３２】
ＲＩＳサーバ５０は、制御装置１０や他のＲＩＳ専用端末等から送信される撮影オーダーデータに基づいて撮影オーダー情報を生成し、撮影オーダーＤＢ５３５に記憶して一括管理し、制御装置１０からの要求に基づいて撮影オーダー情報の検索、送信を行う。また、制御装置１０から送信された撮影実施情報を撮影オーダー情報に対応付けて撮影オーダーＤＢ５３５に記憶する。
【００３３】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダー情報を送受信する際には重要な患者情報を含むため、撮影オーダー情報は暗号化することが好ましい。
【００３４】
次に、本発明において主要な構成要素となる制御装置１０、ＲＩＳサーバ５０について詳細に説明する。
【００３５】
まず、制御装置１０の内部構成について説明する。
図２は、制御装置１０の機能的構成を示すブロック図である。図２に示すように、制御装置１０は、ＣＰＵ１１、入力部１２、表示部１３、通信制御部１４、ＲＡＭ１５、ＨＤＤ１６ａを有する記憶装置１６等を備えて構成され、各部はバス１７により接続されている。
【００３６】
ＣＰＵ１１は、記憶装置１６に記憶されているシステムプログラムや各種制御プログラムを読み出し、ＲＡＭ１５に展開し、該制御プログラムに従って各部の動作を集中制御する。また、ＣＰＵ１１は、ＲＡＭ１５に展開したプログラムに従って各種処理を実行し、その処理結果をＲＡＭ１５に一時記憶させるとともに、表示部１３に表示させる。
【００３７】
入力部１２は、カーソルキー、数字入力キー、及び各種機能キー等を備えたキーボードを含み、このキーボードで押下されたキーに対応する押下信号をＣＰＵ１１に出力する。なお、入力部１２は、必要に応じてマウス、タッチパネル等のポインティングデバイスや、その他の入力装置を備えることとしてもよい。
【００３８】
表示部１３は、ＬＣＤやＣＲＴ（Ｃａｔｈｏｄｅ  Ｒａｙ  Ｔｕｂｅ）等により構成され、ＣＰＵ１１から入力される表示信号の指示に従って、入力部１２からの入力指示やデータ等を表示する。
【００３９】
通信制御部１４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００４０】
ＲＡＭ１５は、ＣＰＵ１１により実行制御される各種処理において、記憶装置１６から読み出されたＣＰＵ１１で実行可能な各種プログラム、入力若しくは出力データ、及びパラメータ等の一時的に記憶する記憶領域を形成する。
【００４１】
記憶装置１６は、ＨＤＤ（Ｈａｒｄ  Ｄｉｓｃ  Ｄｒｉｖｅ）や不揮発性の半導体メモリ等により構成され、ＣＰＵ１１で実行されるシステムプログラム、当該システムプログラムに対応する各種アプリケーションプログラム及び処理結果等を記憶する。また、プログラムやデータが予め記憶された記録媒体（図示省略）を有しており、この記録媒体は、磁気的、光学的記録媒体、もしくは半導体メモリで構成され、記憶装置１６に固定的、或いは着脱自在に装着するものである。これらの各種プログラムは、読取可能なプログラムコードの形態で格納され、ＣＰＵ１１は、当該プログラムコードに従った動作を逐次実行する。
【００４２】
ここで、記憶装置１６には、図３に示すように、ＣＲの制御装置としての機能を実行するためのＣＲアプリケーションプログラム１６１と、ＲＩＳクライアントとしての機能を実行するためのＲＩＳクライアント用汎用ブラウザ１６２が記憶されている。ＣＰＵ１１は、これらのプログラムとの協働によるソフトウエア処理により、各種処理を実行する。
【００４３】
ＣＲアプリケーションプログラム１６１は、下記の機能含む機能を実現するためのプログラムがコンピュータで読取可能なプログラムコードの形態で記載されたものである。
１．ネットワーク通信機能
この機能により、通信制御部１４を介してネットワークＮに接続された各種装置とのデータの送受信を行う。また、ネットワークＮやＲＩＳサーバ５０が通信可能状態であるか否かを確認する機能、入力されたオーダーデータや撮影実施情報をＨＤＤ１６ａに記憶した後、ＦＴＰに基づいてＲＩＳサーバ５０に送信する機能や、ＲＩＳサーバ５０から受信したデータをＨＤＤ１６ａに記憶する機能、一定時間毎にＨＤＤ１６ａに記憶されている未送信のデータを送信する機能が含まれる。
２．医用画像読取装置２０との通信機能
この機能により、通信制御部１４を介して医用画像読取装置２０に読み取り画像の配信先等を送信する。また、医用画像読取装置２０から医用画像、カセッテＩＤを受信する。
３．画像処理機能
この機能により、撮影オーダー情報に含まれる撮影条件に応じて予め設定された処理パラメータを用いて医用画像読取装置２０により読み取られた医用画像に対して、階調処理、周波数処理、ダイナミックレンジ圧縮処理等の画像処理を施す。また、入力部１２からの指示に応じて拡大縮小、回転等の画像処理を施す。
４．画像表示機能
この機能により、医用画像読取装置２０から受信された医用画像を表示用フレームメモリ１６５に取り込んで表示部１３に表示させる。また、入力部１２からの指示に応じて画像ＤＢ１６３に保存されている医用画像のうち指定された医用画像を検索して表示用フレームメモリ１６５に取り込んで表示部１３に表示させる。
５．画像保存機能
この機能により、医用画像読取装置２０から受信された医用画像を画像ＤＢ１６３に保存する。
６．撮影オーダー情報と撮影実施情報との関連付けを行う機能
この機能により、入力部１２から入力されたカセッテＩＤを指定された撮影オーダー情報と対応付け、カセッテＩＤにより撮影オーダー情報と医用画像を関連付け、カセッテＩＤ、画像ＩＤ、撮影日時、放射線情報等の撮影実施情報を撮影オーダー情報に関連付ける。
７．ポータブル撮影用携帯端末との通信機能
この機能により、ポータブル撮影用の携帯端末に撮影オーダー情報を送信し、携帯端末により撮影オーダー情報とカセッテＩＤとの対応付けの情報を受信する。
【００４４】
また、記憶装置１６には、ＲＩＳクライアント用汎用ブラウザ１６２を有している。このＲＩＳクライアント用汎用ブラウザ１６２は、ネットワークＮを介してＲＩＳサーバ５０等のウェブサーバと通信を行い、転送されたＨＴＭＬ（ＨｙｐｅｒＴｅｘｔ  Ｍａｒｋｕｐ  Ｌａｎｇｕａｇｅ）ファイルを解釈する機能を実行するためのプログラムである。
【００４５】
また、記憶装置１６は、図２に示すように、記憶手段としての比較的大容量のＨＤＤ１６ａを備えて構成されている。このＨＤＤ１６ａは、図４に示すように、撮影された医用画像及び撮影実施情報を保存する画像ＤＢ１６３、ＲＩＳサーバ５０とＦＴＰ（Ｆｉｌｅ  Ｔｒａｎｓｆｅｒ  Ｐｒｏｔｏｃｏｌ）に基づいて受信されたデータ及び送信されるデータを記憶する送受信データ格納部１６４、表示する情報を一時的に格納する表示用フレームメモリ１６５を有している。
【００４６】
次に、ＲＩＳサーバ５０の内部構成について説明する。
図５は、ＲＩＳサーバ５０の機能的構成を示すブロック図である。図５に示すように、ＲＩＳサーバ５０は、ＣＰＵ５１、ＲＡＭ５２、ＨＤＤ５３ａを有する記憶装置５３、通信制御部５４等を備えて構成され、各部はバス５５により接続されている。
【００４７】
ＣＰＵ５１は、記憶装置５３に記憶されているシステムプログラムや各種制御プログラムを読み出し、ＲＡＭ５３に展開し、該制御プログラムに従って各部の動作を集中制御する。また、ＣＰＵ５１は、ＲＡＭ５２に展開したプログラムに従って、各種処理を実行する。即ち、ＣＰＵ５１は、展開したプログラムに従って、通信制御部５４を介して受信された撮影オーダーデータから撮影オーダー情報を生成し、撮影オーダーＤＢ５３５に記憶したり、受信された撮影実施情報を撮影オーダーＤＢ５３５の撮影オーダー情報と対応付けて記憶したりすることにより、ネットワークＮ全体における撮影オーダー情報や撮影実施情報を確定して管理する。
【００４８】
また、ＣＰＵ５１は、後述するＨＴＴＰ（ＨｙｐｅｒＴｅｘｔ  Ｔｒａｎｓｆｅｒ  Ｐｒｏｔｏｃｏｌ）サーバ用プログラム５３１に従ってＨＴＴＰサーバ機能を実行する。
【００４９】
ＲＡＭ５２は、ＣＰＵ５１により実行制御される各種処理において、記憶装置５３から読み出されたＣＰＵ５１で実行可能な各種プログラム、入力若しくは出力データ、及びパラメータ等の一時的に記憶する記憶領域を形成する。
【００５０】
記憶装置５３は、ＨＤＤ（Ｈａｒｄ  Ｄｉｓｃ  Ｄｒｉｖｅ）や不揮発性の半導体メモリ等により構成され、ＣＰＵ５１で実行されるシステムプログラム、当該システムプログラムに対応する各種処理プログラム及び処理結果等を記憶する。また、プログラムやデータが予め記憶された記録媒体（図示省略）を有しており、この記録媒体は、磁気的、光学的記録媒体、もしくは半導体メモリで構成され、記憶装置５３に固定的、或いは着脱自在に装着するものである。これらの各種プログラムは、読取可能なプログラムコードの形態で格納され、ＣＰＵ５１は、当該プログラムコードに従った動作を逐次実行する。
【００５１】
また、記憶装置５３には、図５に示すように、ＨＴＴＰサーバ機能を実行するためのＨＴＴＰ（ＨｙｐｅｒＴｅｘｔ  Ｔｒａｎｓｆｅｒ  Ｐｒｏｔｏｃｏｌ）サーバ用プログラム５３１が記憶されている。ＨＴＴＰサーバ用プログラム５３１は、図６に示すように、ＣＧＩスクリプト５３２、ＨＴＭＬファイル５３３、ＣＧＩ機能を有するＨＴＴＰサーバソフトウエア５３４等により構成されている。ＣＧＩスクリプト５３２は、ＣＧＩ機能を使って動作するソフトウエアであり、ＨＴＭＬファイル５３３の中でこのＣＧＩスクリプトを実行させるように記述されることにより、制御装置１０からＲＩＳクライアント用汎用ブラウザ上でＣＧＩスクリプト５３２を実行することができる。
【００５２】
本実施の形態においては、ＲＩＳサーバ５０の撮影オーダーＤＢ５３５（詳細後述）から当日の撮影オーダー情報を検索して撮影オーダーリストをＨＴＭＬファイルとして作成し、制御装置１０のＲＩＳクライアント用汎用ブラウザ上で表示する機能を記述したＣＧＩスクリプト、制御装置１０で撮影オーダーリスト上で選択された撮影オーダー情報を撮影オーダーＤＢ５３５から読み出してＦＴＰに基づいて送信して表示する機能を記述したＣＧＩスクリプト等がＣＧＩスクリプト５３２として記憶されている。
【００５３】
また、制御装置１０において撮影オーダー入力画面から入力された撮影オーダーデータに基づいて撮影オーダー情報を生成して撮影オーダーＤＢ５３５に登録する機能を記述したＣＧＩスクリプト等がＣＧＩスクリプト５３２として記憶されている。
【００５４】
ＨＴＭＬファイル５３３としては、例えば、ＲＩＳクライアント用汎用ブラウザによりアクセスされた際に送信するＲＩＳメニュー画面等が含まれる。
【００５５】
また、記憶装置５３は、図５に示すように、記憶手段としての大容量のＨＤＤ５３ａを備えて構成されている。このＨＤＤ５３ａは、図５に示すように、撮影オーダーＤＢ５３５を有している。撮影オーダーＤＢ５３５には、撮影オーダーＩＤ、患者ＩＤ、撮影部位、撮影枚数、撮影予定日等の撮影オーダー情報と、検査後に撮影オーダー情報に対応付けられたカセッテＩＤ、画像ＩＤ、撮影日時、放射線情報等の撮影実施情報が記憶されている。
【００５６】
通信制御部５４は、ＬＡＮアダプタやルータやＴＡ（Ｔｅｒｍｉｎａｌ  Ａｄａｐｔｅｒ）等によって構成され、専用線、或いはＩＳＤＮ回線等の通信回線を介してネットワークＮに接続された各装置との間の通信を制御する。
【００５７】
次に、制御装置１０とＲＩＳサーバ５０との間で実行される通信動作について説明する。
図７に、制御装置１０、ＲＩＳサーバ５０間における通信の概略説明を示す。図７に示すように、制御装置１０は、ＲＩＳクライアント汎用ブラウザの機能、ＲＩＳサーバ５０はＨＴＴＰサーバ機能を有することにより、ＨＴＴＰプロトコルに基づいて、データの送受信を行う。また、制御装置１０とＲＩＳサーバ５０は、ＦＴＰプロトコルに基づいて、撮影オーダー情報や撮影実施情報のデータの送受信を行う。ＦＴＰプロトコルに基づく撮影オーダー情報や撮影実施情報のデータの送受信においては、ＨＤＤ１６ａが経由される。
【００５８】
図８に、制御装置１０がＲＩＳサーバ５０にＲＩＳクライアント用汎用ブラウザ上でアクセスすることにより実行される処理シーケンスを示す。
制御装置１０のＲＩＳクライアント用汎用ブラウザによりＲＩＳサーバ５０にアクセスされると（ステップＳ１）、ＲＩＳサーバ５０によりＲＩＳメニュー画面が送信される（ステップＳ２）。制御装置１０の入力部１２により、このＲＩＳメニュー画面から当日に行う撮影オーダーのリスト要求が指示されると（ステップＳ３）、ＲＩＳサーバ５０において撮影オーダーＤＢ５３５から当日撮影予定の撮影オーダー情報が検索され（ステップＳ４）、ＨＴＭＬファイル形式の撮影オーダーリストが生成されて制御装置１０に送信される（ステップＳ５）。
【００５９】
制御装置１０において、撮影オーダーリストが受信されると（ステップＳ６）、表示部１３に表示される（ステップＳ７）。表示された撮影オーダーリスト上から撮影オーダー情報が選択されると（ステップＳ８）、ＲＩＳサーバ５０において、選択された撮影オーダー情報が撮影オーダーＤＢ５３５から読み出され、ＦＴＰに基づいて制御装置１０に撮影オーダー単位で送信される（ステップＳ９）。
【００６０】
制御装置１０において、撮影オーダー情報が受信されると、受信された撮影オーダー情報がＨＤＤ１６ａの送受信データ格納部１６４に格納され（ステップＳ１０）、表示部１３に表示される（ステップＳ１１）。
【００６１】
図９（ａ）（ｂ）に、表示部１３に表示される撮影オーダーリスト画面１３１の一例を示す。図９（ａ）（ｂ）に示すように、撮影オーダーリスト画面１３１には、当日の撮影オーダーリストを表示する撮影オーダーリスト領域１３１ａ、制御装置１０で取得された撮影オーダー情報を表示する撮影オーダー情報領域１３１ｂが表示されている。図９（ａ）に示す撮影オーダーリスト領域１３１ａから撮影オーダー情報が選択されると、選択された撮影オーダー情報がＲＩＳサーバ５０の撮影オーダーＤＢ５３５から取得され、図９（ｂ）に示すように、撮影オーダー情報領域１３１ｂに表示される。
【００６２】
上述した処理シーケンスにより、ＲＩＳサーバ５０から送信された撮影オーダー情報が受信され、ＨＤＤ１６ａに格納されると、以降は制御装置１０で当該撮影オーダー情報の利用、管理が可能となる。即ち、制御装置１０は、ＣＰＵ１１によりＣＲアプリケーションに従って、検査前に入力部１２からの指示により撮影オーダー情報とカセッテＩＤの対応付けを行い、検査後に医用画像読取装置から受信された医用画像とカセッテＩＤに基づいて撮影実施情報を撮影オーダー情報と対応付ける。
【００６３】
ここで、撮影オーダー情報は、以下のようにして入力、生成される。
制御装置１０において、ＲＩＳクライアント用汎用ブラウザ機能によりＨＴＴＰに基づいてＲＩＳサーバ５０にアクセスされ、撮影オーダー入力画面が取得され、この撮影オーダー入力画面からオーダーデータが入力されると、入力されたデータがＨＴＴＰに基づいてＲＩＳサーバ５０に送信される。ＲＩＳサーバ５０においては、受信されたデータに撮影ＩＤが付されて撮影オーダー情報が生成され、撮影オーダーＤＢ５３５に登録される。
【００６４】
また、ＲＩＳクライアント用汎用ブラウザ機能を用いずに、ＣＲアプリケーションプログラムに基づいて制御装置１０から撮影オーダー情報を入力することも可能である。この場合、入力部１２により撮影オーダー登録画面表示が指示され、この画面上からオーダーデータが入力されると、入力されたデータは送信フラグが付加されてＨＤＤ１６ａの送受信データ格納部１６４に保存され、通信制御部１４により通信状態が確認され、通信が可能なときに、ＦＴＰに基づいてオーダー単位でＲＩＳサーバ５０に送信される。ＲＩＳサーバ５０は、オーダーデータを受信すると、受信されたデータに撮影ＩＤが付されて撮影オーダー情報が生成され、撮影オーダーＤＢ５３５に登録される。
【００６５】
図１０に、制御装置１０により検査終了が指示された際に、制御装置１０及びＲＩＳサーバ５０により実行される処理シーケンスを示す。
制御装置１０の入力部により検査終了が指示されると（ステップＳ２１；ＹＥＳ）、ＨＤＤ１６ａの送受信データ格納部１６４に記憶されている、当該検査が終了した撮影オーダー情報にカセッテＩＤ、画像ＩＤ、撮影日時、放射線情報等の撮影実施情報が対応付けて更新される（ステップＳ２２）。このとき、撮影オーダー情報には、送信フラグも併せて対応付けられる。次いで、通信制御部５４によりネットワークＮやＲＩＳサーバ５０の通信状態が確認され（ステップＳ２３）、通信可能である場合に（ステップＳ２３；ＹＥＳ）、更新されたデータは、ＦＴＰに基づいて、１撮影オーダー単位にＲＩＳサーバ５０に送信される（ステップＳ２４）。通信可能でない場合は（ステップＳ２３；ＮＯ）、本処理は終了する。
【００６６】
ＲＩＳサーバ５０において、制御装置１０から撮影オーダー情報が受信されると、受信確認通知が制御装置１０へ送信され（ステップＳ２５）、受信された撮影オーダー情報で撮影オーダーＤＢ５３５の同一撮影ＩＤのレコードが上書きされ、ネットワークＮ上における撮影オーダー情報と撮影実施情報との対応付けが確定される（ステップＳ２６）。制御装置１０においては、受信確認通知が受信されると、送受信データ格納部１６４から送信済みのデータが消去され（ステップＳ２７）、本処理は終了する。なお、読み取った画像は撮影オーダー情報と撮影関連情報との対応付けがＲＩＳサーバ５０側で確定した以降に、画像ＤＢ１６３に送信することが望ましい。
【００６７】
なお、ステップＳ２５においては、受信された撮影オーダー情報で撮影オーダーＤＢ５３５の同一撮影ＩＤのレコードを上書きすることとしたが、データの不一致（例えば、撮影オーダー情報の内容が一致していない場合、同一の撮影ＩＤのレコードに既に撮影実施情報が対応付けられている場合等）がある場合は上書きせずに、制御装置１０にデータの不一致を通知し、制御装置１０の表示部１３にエラーを表示させるようにしてもよい。
【００６８】
ここで、病院内の通信方式としては、一般的に、ＤＩＣＯＭ（Ｄｉｇｉｔａｌ  Ｉｍａｇｅ  ａｎｄ  Ｃｏｍｍｕｎｉｃａｔｉｏｎｓ  ｉｎ  Ｍｅｄｉｃｉｎｅ）規格が用いられており、上述したＲＩＳサーバとの通信では、一般的に、ＤＩＣＯＭ  ＭＷＭ（Ｍｏｄａｌｉｔｙ  Ｗｏｒｋｌｉｓｔ  Ｍａｎａｇｅｍｅｎｔ）やＤＩＣＯＭ  ＭＰＰＳ（Ｍｏｄａｌｉｔｙ  Ｐｅｒｆｏｒｍｅｄ  Ｐｒｏｃｅｄｕｒｅ  Ｓｔｅｐ）が用いられる。しかしながら、この方式では、通信確立後、パラメータネゴシエーションにより、通信において要求するサービスを実現できるか否かを機器間で確認する折衝を行ってから実データ通信が行われる。そのため、頻繁にデータ送受信を行うと時間がかかり、撮影ワークフローの遅延を招く。特に、ＣＲ撮影系では、予約撮影であるモダリティ系とは異なり、急患等の予定外の撮影飛び込みや、撮影枚数の変更（追加、削除、修正）等でＲＩＳデータベース（撮影オーダーＤＢ５３５）へのアクセスが頻繁であり、データ送受信時間の短縮は重要である。
【００６９】
そこで、制御装置１０とＲＩＳサーバ５０は、撮影オーダー情報を、ＦＴＰに基づいて、撮影オーダー単位を１ファイルとし、ファイル毎にデータを転送する。ファイル表記のみ、ＤＩＣＯＭ  ＴＡＧ方式を採用する。
【００７０】
ＤＩＣＯＭ  ＴＡＧ方式は、各ファイルの内容をＧＲＯＵＰ＿Ｅｌｅｍｅｎｔ＿Ｌｅｎｇｔｈ〔実データ〕で表記するフォーマットである。例えば、撮影オーダー情報を送受信する際には、実データに、少なくとも名前、撮影条件を示すコードを含むファイルが送信される。
例）  ０００１  ０２２１  ３０  山田太郎＿０２０００００１
【００７１】
上述した通信方法により、通信時に前述したＭＷＭやＤＩＣＯＭ  ＭＰＰＳのように折衝を行う必要がなくなり、汎用的なＦＴＰを用いて迅速なデータ授受を行うことができる。そのため、頻繁に行われるデータの授受により撮影のワークフローに遅延を与えることが軽減される。
【００７２】
また、図１１のステップＳ２３において通信不可能であると判断された場合は、撮影オーダー情報は、送信フラグが付加されてＨＤＤ１６ａの送受信データ格納部１６４に保存されたままとなる。そこで、制御装置１０のＣＰＵ１１により、ＣＲアプリケーションに従い、一定時間ごとに送信フラグが付加された撮影オーダー情報が検索され、通信制御部１４により通信可能であると判断された場合に検索された撮影オーダー情報が送信され、ＨＤＤ１６ａから消去される。これにより、通信可能な時に送信すべき撮影オーダー情報を送信することができるので、撮影のワークフローに遅延を招くことなく通信を行うことができる。
【００７３】
なお、ＲＩＳサーバ５０通信不可能である際に、制御装置１０のうちの１台をＲＩＳサーバとして使用するように切り替え、以降は検査による医用画像読取装置２０からの医用画像の受信、医用画像のＨＤＤ１６ａへの保存を行わず、入力されたオーダーデータや撮影実施情報のデータ保存専用として機能するようにしてもよい。即ち、他の制御装置１０から入力されたオーダーデータや撮影実施情報を受信してＨＤＤ１６ａに保存しておく。そして、ＲＩＳサーバ５０の復帰後にＨＤＤ１６ａに保存されているデータをＲＩＳサーバ５０に送信し、もとの機能に切り替える。このようにすれば、ＲＩＳサーバ５０がシステムダウンしても、制御装置１０において撮影のワークフローを中断することなく作業を続行することができる。
【００７４】
以上説明したように、医用画像撮影管理システム１００によれば、制御装置１０はＲＩＳクライアント用汎用ブラウザの機能を備え、ＲＩＳサーバ５０はＨＴＴＰサーバとしての機能を備えている。制御装置１０は、ＲＩＳクライアント用汎用ブラウザによりＲＩＳサーバ５０にアクセスし、ウェブ画面上で当日の撮影オーダーリストの表示や取得する撮影オーダー情報の選択を行う。ウェブ画面上で選択された撮影オーダー情報は、ＲＩＳサーバ５０の撮影オーダーＤＢ５３５から検索され、ＦＴＰに基づいて制御装置１０に送信される。
【００７５】
また、制御装置１０とＲＩＳサーバ５０との撮影オーダー情報、検査終了後の撮影実施情報の送受信は、ＨＤＤ１６ａを経由して行われ、送受信データが記憶される。また、制御装置１０からＲＩＳサーバ５０へ送信されるデータは、通信可能であるか否かを確認した上で、通信可能である場合に送信され、ＲＩＳサーバ５０による受信通知後に、送信されたデータがＨＤＤ１６ａから消去される。通信不可能である場合には、送信するデータはＨＤＤ１６ａにそのまま保存され、一定時間ごとに未送信データが検索されて送信される。
【００７６】
従って、ＲＩＳサーバ５０から受信された撮影オーダー情報がＨＤＤ１６ａに記憶され、ＲＩＳサーバ５０へ送信する撮影オーダー情報や撮影実施情報がＨＤＤ１６ａに記憶され、送信後にＨＤＤ１６ａから消去されるので、制御装置１０の管理下にある情報を明確にすることができる。そのため、万一撮影オーダー情報等に異常が発見された際に（例えば、検査が終了したはずの撮影オーダー情報に撮影実施情報が対応付けられていなかった場合等）、ＲＩＳサーバ５０と制御装置１０との原因の切り分けが容易となる。
【００７７】
また、制御装置１０を、撮影オーダーリストの表示や撮影オーダー情報の選択、取得を行うＲＩＳクライアントとして機能させるために、ＲＩＳサーバ５０側にＨＴＴＰサーバとしての機能を搭載することが必要となるが、制御装置１０側は汎用のウェブブラウザを備えるだけで、従来の制御装置１０の内部構成を大幅に変更することなく、ＲＩＳクライアントとして動作することができるようになる。特に、複数の制御装置１０を備える場合に、上述したシステム構成は好都合である。
【００７８】
また、送信するデータをＨＤＤ１６ａに保存しておき、通信可能な時に送信すべき情報を送信することができるので、撮影のワークフローに遅延を招くことなく通信を行うことができる。
【００７９】
更に、制御装置１０とＲＩＳサーバ５０との間で汎用的なＦＴＰを用いて迅速な撮影オーダー情報の授受を行う。そのため、撮影オーダー情報を迅速に追加、変更が頻繁にあっても、撮影オーダー授受により撮影のワークフローに遅延を与えることが軽減される。
【００８０】
なお、上記実施の形態における記述内容は、本発明における好適な一例であり、これに限定されるものではない。
【００８１】
例えば、上記実施の形態においては、カセッテを用いたＣＲ装置の医用画像撮影管理システムを例にとり説明したが、立位、臥位を撮影するＣＲ装置の医用画像撮影管理システムにおいても、本発明を適用することができる。また、ＣＴやＭＲＩを用いた医用画像撮影管理システムにおいても、本発明を適用することができる。
【００８２】
その他、医用画像撮影管理システム１００及び医用画像撮影管理システム１００を構成する各装置の細部構成及び細部動作に関しても、本発明の趣旨を逸脱することのない範囲で適宜変更可能である。
【００８３】
【発明の効果】
請求項１、９に記載の発明によれば、医用画像撮影管理システムにおいて、制御装置は、情報管理装置から受信された撮影オーダー情報を記憶手段に記憶するとともに、入力された撮影関連情報を撮影オーダー情報に対応付けて記憶手段に記憶してから情報管理装置に送信する。従って、制御装置の管理下にある情報を明確にすることができるので、万一、医用画像撮影管理システムにおいて撮影オーダー情報等の情報に以上が発見された際に、情報管理装置と制御装置との原因の切り分けが容易となり、医用画像撮影管理システムの信頼性、安全性を向上させることができる。
【００８４】
請求項２に記載の発明によれば、情報管理装置はＨＴＴＰサーバ手段を有し、制御装置は汎用ブラウザ手段を有し、制御装置はＨＴＴＰサーバ手段及び汎用ブラウザ手段を通じて情報管理装置から取得する撮影オーダー情報を選定して情報管理装置から取得する。従って、制御装置側は汎用のブラウザを搭載するだけで、内部構成を大きく変更することなく、容易に撮影オーダー情報を選定して情報管理装置から取得することができるようになる。
【００８５】
請求項３に記載の発明によれば、制御装置は、カセッテを用いた撮影において、撮影オーダー情報と医用画像及び／又は撮影関連情報と対応付けることができる。
【００８６】
請求項４に記載の発明よれば、制御装置において、撮影オーダー情報生成の為の入力及び撮影関連情報の入力が可能であり、入力された撮影オーダー情報とその撮影オーダー情報に関連する撮影関連情報とを対応付けることができる。従って、制御装置において、撮影オーダー情報や撮影関連情報の入力から撮影オーダー情報とそれに関連する撮影関連情報の対応付けまでを行うことができる。
【００８７】
請求項５に記載の発明によれば、制御装置は、情報管理装置との通信が可能か否かを判断し、通信が可能である場合に、情報管理装置に記憶手段に記憶された撮影オーダー情報と撮影関連情報を送信するとともに、送信済みの情報を記憶手段から消去する。従って、通信が可能な場合に情報を送信するので、撮影のワークフローに遅延を招くことなく通信を行うことができる。また、制御装置の管理下でなくなった情報を記憶手段から消去するので、記憶手段を効率的に使用することができる。
【００８８】
請求項６に記載の発明によれば、撮影オーダー情報及び当該撮影オーダー情報に対応付けられた撮影関連情報をＦＴＰに基づいて送受信するので、汎用的な通信プロトコルを用いて容易にファイル単位で情報のやりとりを行うことができ、必要な情報を迅速に送受信することができる。
【００８９】
請求項７に記載の発明によれば、１撮影オーダー単位に送受信を行うので、必要な情報を迅速に送受信することができる。
【００９０】
請求項８に記載の発明によれば、ＤＩＣＯＭ  ＴＡＧ方式で表記されたファイル毎に情報の送受信を行うことができる。
【図面の簡単な説明】
【図１】本発明に係る医用画像撮影システム１００の全体構成を概念的に示す図である。
【図２】図１の制御装置１０の機能的構成を示すブロック図である。
【図３】図２の記憶装置１６に記憶されているプログラムを示す図である。
【図４】図２のＨＤＤ１６ａのデータ格納例を示す図である。
【図５】図１のＲＩＳサーバ５０の機能的構成を示すブロック図である。
【図６】図６のＨＴＴＰサーバ用プログラムの構成を示す図である。
【図７】図１の制御装置１０、ＲＩＳサーバ５０間における通信の概略説明図である。
【図８】図１の制御装置１０がＲＩＳサーバ５０から撮影オーダー情報を取得する際の処理シーケンスを示す図である。
【図９】図２の表示部１３に表示される撮影オーダーリスト画面１３１の一例を示す図である。
【図１０】図１の制御装置１０がＲＩＳサーバ５０に撮影オーダー情報、撮影実施情報を送信する際の処理シーケンスを示す図である。
【符号の説明】
１０  制御装置
２０  医用画像読取装置
３０  Ｘ線撮影装置
４０  カセッテ
５０  ＲＩＳサーバ
１１、５１  ＣＰＵ
１２  入力部
１３  表示部
１４  通信制御部
１５、５２  ＲＡＭ
１６、５３  記憶装置
１６ａ、５３ａ  ハードディスク
１７、５５  バス
１６１  ＣＲアプリケーションプログラム
１６２  ＲＩＳクライアント用汎用ブラウザ
１６３  画像ＤＢ
１６４  送受信データ格納部
１６５  表示用フレームメモリ
５３１  ＨＴＴＰサーバ用プログラム
５３２  ＣＧＩスクリプト
５３３  ＨＴＭＬファイル
５３４  ＨＴＴＰサーバソフトウエア
５３５  撮影オーダーＤＢ
１００    医用画像撮影管理システム
Ｎ  ネットワーク
【図１】
2004310184.tif 000003
【図２】
2004310184.tif 000004
【図３】
2004310184.tif 000005
【図４】
2004310184.tif 000006
【図５】
2004310184.tif 000007
【図６】
2004310184.tif 000008
【図７】
2004310184.tif 000009
【図８】
2004310184.tif 000010
【図９】
2004310184.tif 000011
【図１０】
2004310184.tif 000012